(57)【要約】【課題】  本発明は、ネットワークに接続される被制御装置の数が増加しても、制御端末の処理負荷を増大させることなくネットワークの監視を行うことができる技術を提供することを目的とする。【解決手段】  本発明のネットワーク監視システムは、ネットワークに接続された複数の被制御装置と、ネットワークに接続され複数の被制御装置の制御及び動作状態を管理する複数の制御端末と、複数の制御端末と複数の被制御装置との各々の間で通信するために切り替えを行う一又は複数の切替装置とを備え、被制御装置は、異常が発生した場合にはその異常発生情報をその重要度に応じた所定値を付して出力し、切替装置は、所定値に基づいて決まる制御端末に切り替える。【選択図】    図１
2009201025.tif 000002
【特許請求の範囲】
【請求項１】
ネットワークに接続された複数の被制御装置と、
ネットワークに接続され前記複数の被制御装置の制御及び動作状態を管理する複数の制御端末と、
前記複数の制御端末と前記複数の被制御装置との各々の間で通信するために切り替えを行う一又は複数の切替装置とを備え、
前記被制御装置は、
異常が発生した場合にはその異常発生情報をその重要度に応じた所定値を付して出力し、
前記切替装置は、
前記所定値に基づいて決まる前記制御端末に切り替える
ことを特徴とするネットワーク監視システム。
【請求項２】
請求項１に記載のネットワーク監視システムにおいて、
前記切替装置は、前記重要度の高い前記異常発生情報のみを通過させることを特徴とするネットワーク監視システム。
【請求項３】
請求項１又は請求項２に記載のネットワーク監視システムにおいて、
前記制御端末は、
前記異常発生情報を受信した場合には、前記異常発生情報を出力した前記被制御装置に対して復旧指令を出力し、
前記被制御装置は、
前記復旧指令によって復旧した場合には、前記異常発生情報と同じ前記重要度を示す前記所定値を付して復旧情報を出力し、
前記切替装置は、
前記所定値に基づいて、前記復旧指令を出力した前記制御端末に切り替える
ことを特徴とするネットワーク監視システム。
【請求項４】
請求項１ないし請求項３のいずれか１項に記載のネットワーク監視システムにおいて、
前記重要度は、ＭＡＣフレームのＣＯＳ又はＩＰヘッダのＴＯＳの値であることを特徴とするネットワーク監視システム。
【請求項５】
請求項１ないし請求項４のいずれか１項に記載のネットワーク監視システムにおいて、
前記一又は複数の切替装置は、ルータ、レイヤ２スイッチ又はレイヤ３スイッチであることを特徴とするネットワーク監視システム。
【請求項６】
ネットワークに接続された複数の被制御装置と、ネットワークに接続され前記複数の被制御装置の制御及び動作状態を管理する複数の制御端末と、前記複数の制御端末と前記複数の被制御装置との各々の間で通信するために切り替えを行う一又は複数の切替装置とからなるネットワークシステムを監視するネットワーク監視方法であって、
一の前記被制御装置において異常が発生した場合には、前記一の被制御装置がその異常発生情報を重要度に応じた所定値を付して前記複数の制御装置に出力する工程と、
前記切替装置が前記所定値に基づいて決まる前記制御端末に切り替える工程と
を備えることを特徴とするネットワーク監視方法。
【発明の詳細な説明】
【技術分野】
【０００１】
本発明は、ネットワークに接続された被制御装置における異常の発生や復旧の検出を、制御端末の処理に負荷をかけること無く行うネットワーク監視システム及び監視方法に関する。
【背景技術】
【０００２】
従来、下位のネットワークに接続されたデータ転送装置や中継装置等の被制御装置において異常が発生した場合、各被制御装置は、その異常の発生に関する情報を一律に上位のネットワークに接続されているワークステーションやパソコン等である全ての制御端末に対して送信し、各制御端末は、フィルタリングによって自己に必要な情報のみを受け取るという構成が取られている。
【０００３】
特許文献１は、異常が発生した被制御装置からの通知に基づいて、制御端末がその後に被制御装置に対して問い合わせる定期情報収集コマンドのデータ領域の構成を決定して、制御端末の負荷及びネットワークのトラフィックの軽減を図るネットワーク管理システムを開示している。
【特許文献１】特開２００７−２１９８８９
【発明の開示】
【発明が解決しようとする課題】
【０００４】
しかしながら、従来技術である特許文献１では、制御端末の配下に接続される被制御装置の数が増えてしまうと一度に送られてくる情報が増え、最終的に制御端末の負荷が増大してしまい情報のフィルタリング処理が追いつかなくなるという問題がある。
【０００５】
上記従来技術が有する問題に鑑み、本発明の目的は、ネットワークに接続される被制御装置の数が増加しても、制御端末の処理負荷を増大させることなくネットワークの監視を行うことができる技術を提供することにある。
【課題を解決するための手段】
【０００６】
この発明のネットワーク監視システムは、ネットワークに接続された複数の被制御装置と、ネットワークに接続され複数の被制御装置の制御及び動作状態を管理する複数の制御端末と、複数の制御端末と複数の被制御装置との各々の間で通信するために切り替えを行う一又は複数の切替装置とを備え、被制御装置は、異常が発生した場合にはその異常発生情報をその重要度に応じた所定値を付して出力し、切替装置は、所定値に基づいて決まる制御端末に切り替える。
【０００７】
この発明において、切替装置は、重要度の高い異常発生情報のみを通過させる。
【０００８】
この発明において、制御端末は、異常発生情報を受信した場合には、異常発生情報を出力した被制御装置に対して復旧指令を出力し、被制御装置は、復旧指令によって復旧した場合には、異常発生情報と同じ重要度を示す所定値を付して復旧情報を出力し、切替装置は、所定値に基づいて、復旧指令を出力した制御端末に切り替える。
【０００９】
この発明において、重要度は、ＭＡＣフレームのＣＯＳ又はＩＰヘッダのＴＯＳの値である。
【００１０】
この発明において、一又は複数の切替装置は、ルータ、レイヤ２スイッチ又はレイヤ３スイッチである。
【００１１】
この発明のネットワーク監視方法は、ネットワークに接続された複数の被制御装置と、ネットワークに接続され複数の被制御装置の制御及び動作状態を管理する複数の制御端末と、複数の制御端末と複数の被制御装置との各々の間で通信するために切り替えを行う一又は複数の切替装置とからなるネットワークシステムを監視するネットワーク監視方法であって、一の被制御装置において異常が発生した場合には、一の被制御装置がその異常発生情報を重要度に応じた所定値を付して複数の制御装置に出力する工程と、切替装置が所定値に基づいて決まる制御端末に切り替える工程とを備える。
【発明の効果】
【００１２】
本発明によれば、ネットワークに接続される被制御装置の数が増加しても、制御端末の処理負荷を増大させることなくネットワークの監視を行うことができる。
【発明を実施するための最良の形態】
【００１３】
≪一の実施形態の説明≫
図１は、本発明の一の実施形態に係るネットワーク監視システムの概念図である。本実施形態では、図１に示すように、ネットワーク２の上位にネットワークを監視する２つの制御端末１ａ及び１ｂと、ネットワーク２の下位に２つの被制御装置として装置３ａ及び３ｂとがあり、それぞれネットワーク２のレイヤ２スイッチ４を介して接続されている。
【００１４】
制御端末１ａ及び１ｂは、一般的なワークステーションやパソコン等を用いることができる。なお、本実施形態では、制御端末１ａは、制御端末１ｂよりも重要度の高い情報を処理する端末とする。
【００１５】
装置３ａ及び３ｂは、波長多重装置のような中継装置やデータ転送装置等のネットワーク機器である。装置３ａ及び３ｂは、図２に示すような情報出力管理用テーブル１０をそれぞれの装置内部に保持している。この情報出力管理用テーブル１０は、各装置において生じた異常や記録されたログをその重要度（Ｓｅｖｅｒｉｔｙ）に応じて０〜６のランク付けしたテーブルである。ここで、警報情報（Ｃｒｉｔｉｃａｌ）とは、主信号の影響が大きい回線警報であって、例えば、波長多重装置であれば光入力断等がそれにあたる。また、警報情報（Ｍａｊｏｒ）とは、主信号の影響が小さい回線警報であって、例えば、波長多重装置であれば伝送路誤り率１０−６以上等がそれにあたる。警報情報（Ｍｉｎｏｒ）とは、主信号の影響が小さい装置警報であって、例えば、波長多重装置であれば監視制御盤の不揮発性メモリ（ＥＥＰＲＯＭ）の故障等がそれにあたる。一方、ＬＯＣＡＬ０〜ｎは、ネットワーク２に接続された装置３ａ及び３ｂの各々の現在又は将来必要となる汎用的な情報を示すものとして割り当てるために確保した領域である。各装置３ａや３ｂの情報出力管理用テーブル１０は、制御端末１ａ又は１ｂから指示によって変更することが可能である。なお、制御端末１ａ及び１ｂは、ネットワーク２に接続されている装置３ａ及び３ｂの情報出力管理用テーブル１０の同じものを予め保持している。
【００１６】
本実施形態では、レイヤ２スイッチ４を用いるので、異常の発生の通知や制御端末１ａ又は１ｂからの指示に従ってログ等を送信する場合、装置３ａ及び３ｂは、図３の従来において公知であるＭＡＣフレーム２０のフォーマットに従って、それらの通知やログ等の情報を送信する。なお、この送信の際、装置３ａ及び３ｂは、それらの情報の重要度を示すために、情報出力管理用テーブル１０で定義されているＣＯＳ（Ｃｌａｓｓ  ｏｆ  Ｓｅｒｖｉｃｅ）の値を、ＭＡＣフレーム２０のＶＬＡＮタグ２５にあるユーザプライオリティの領域に付す。
【００１７】
レイヤ２スイッチ４は、図１に示すように、２つの制御端末１ａ及び１ｂと装置３ａ及び３ｂとがそれぞれ接続されており、それぞれの間で通信を行うための切り替えを行っている。図４は、本実施形態におけるレイヤ２スイッチ４の構成を示す。装置３ａ又は３ｂから来たＭＡＣフレーム２０の信号は、レイヤ２スイッチ４のスイッチング部５ａ又は５ｂにそれぞれ入力される。スイッチング部５ａ及び５ｂは、ＭＡＣフレーム２０のＶＬＡＮタグ２５にあるユーザプライオリティのＣＯＳ値を参照して、制御端末１ａ又は１ｂを送信先として選択し切り替える。よって、レイヤ２スイッチ４は、重要度の高い１〜３のＣＯＳ値である場合には制御端末１ａへ切り替えてＭＡＣフレーム２０を送信し、重要度の低い４以上のＣＯＳ値である場合には制御端末１ｂに切り替えてＭＡＣフレーム２０を送信する。
【００１８】
次に、本実施形態のネットワーク監視システムにおける、装置３ａ又は３ｂにおいて異常が発生した時の復旧の作業手順について、図５のフローチャートを参照しながら説明する。なお、以下の説明では、装置３ａにおいて異常が発生したものとし、装置３ｂで異常が発生した場合における復旧の作業手順も同様である。
【００１９】
ステップＳ１０１では、装置３ａが、異常の発生を検知すると、その異常が情報出力管理用テーブル１０の警報情報のいずれに対応するかを判断する。装置３ａは、その判断結果に基づいて決まる重要度を示す１〜３のＣＯＳ値を選択し、ＭＡＣフレーム２０のＶＬＡＮタグ２５におけるユーザプライオリティの領域に書き込む。装置３ａは、ＭＡＣフレーム２０のデータの領域に、警報情報を書き込んでレイヤ２スイッチ４にＭＡＣフレーム２０の信号を送信する。
【００２０】
ステップＳ１０２では、レイヤ２スイッチ４が、装置３ａからのＭＡＣフレーム２０を受け取り、ＶＬＡＮタグ２５のユーザプライオリティにあるＣＯＳ値を調べる。レイヤ２スイッチ４は、ＣＯＳ値が１〜３であるならば、スイッチング部５ａに対して制御端末１ａへ切り替える指示を出し、ＭＡＣフレーム２０を制御端末１ａへ送信する。
【００２１】
ステップＳ１０３では、制御端末１ａが、装置３ａからのＭＡＣフレーム２０を受け取り、ＣＯＳ値とともにデータ領域の警報情報を抽出する。制御端末１ａは、ＣＯＳ値と警報情報とを画面等に示して、ユーザからのキーボード等による入力によって装置３ａの復旧のために必要なコマンドを受ける。制御端末１ａは、装置３ａのＭＡＣアドレスをＭＡＣフレーム２０の宛先ＭＡＣアドレスに書き込むとともに、復旧作業のコマンドをＭＡＣフレーム２０のデータ領域に書き込む。制御端末１ａは、ＭＡＣフレーム２０を送信する。そして、レイヤ２スイッチ４は、制御端末１ａからのＭＡＣフレーム２０を受け取り、ＭＡＣフレーム２０の宛先ＭＡＣアドレスを調べる。レイヤ２スイッチ４は、その宛先ＭＡＣアドレスに基づいて、ＭＡＣフレーム２０を装置３ａへ送信する。
【００２２】
ステップＳ１０４では、装置３ａが、制御端末１ａからのＭＡＣフレーム２０を受け取り、ＭＡＣフレーム２０のデータ領域にあるコマンドを抽出する。装置３ａは、そのコマンドによる復旧作業を行う。
【００２３】
ステップＳ１０５では、装置３ａが、復旧できたか否かを判定する。復旧できた場合、装置３ａは、ステップＳ１０６（ＹＥＳ側）へ移行する。復旧できなかった場合（ＮＯ側）には、装置３ａは、復旧できなかったことを示す情報をＭＡＣフレーム２０のデータ領域に書き込むとともに、ＶＬＡＮタグ２５のユーザプライオリティにステップＳ１０１の時と同じＣＯＳ値を付す。装置３ａは、制御端末１ａへＭＡＣフレーム２０を送信する。ステップＳ１０２からステップＳ１０４の作業を、装置３ａが復旧するまで行う。
【００２４】
ステップＳ１０６では、装置３ａが、復旧したことを示す情報をＭＡＣフレーム２０のデータ領域に書き込むとともに、ＶＬＡＮタグ２５のユーザプライオリティにステップＳ１０１の時と同じＣＯＳ値を付す。装置３ａは、制御端末１ａへＭＡＣフレーム２０を送信して一連の復旧作業を終了する。
【００２５】
このように、本実施形態は、レイヤ２スイッチ４のスイッチング部５ａ及び５ｂが、装置３ａ及び３ｂからのＭＡＣフレーム２０に付される情報の重要度を示すＣＯＳ値に応じて、送信先を切り替えることにより、制御端末１ａ及び１ｂにおける処理の負荷を軽減することができる。
【００２６】
また、レイヤ２スイッチ４のスイッチング部５ａ又５ｂによる切り替え動作によって、ネットワーク２における不要なトラフィックの増加を防ぐこともできる。
≪他の実施形態の説明≫
図６は、本発明の他の実施形態に係るネットワーク監視システムの概念図である。本実施形態のネットワーク監視システムの構成において、一の実施形態のレイヤ２スイッチ４の代わりに、ルータ６を用いる。図７は、ルータ６の構成を示す。本実施形態のネットワーク監視システムにおける他の構成は、一の実施形態のものと同じであり、同じ動作をする構成要素については同じ番号を付し詳細な説明は省略する。
【００２７】
なお、本実施形態では、ルータ６を用いるので、異常の発生の通知や制御端末１ａ又は１ｂからの指示に従ってログ等を送信する場合、装置３ａ及び３ｂは、図８の従来において公知であるＩＰパケット３０のフォーマットに従って、それらの通知やログ等の情報を送信する。この送信の際、装置３ａ及び３ｂは、それらの情報の重要度を示すために、情報出力管理用テーブル１０で定義されているＴＯＳ（Ｔｙｐｅ  ｏｆ  Ｓｅｒｖｉｃｅ）の値を、ＩＰパケット３０のＩＰヘッダ３１にあるＴＯＳ３５のプライオリティの領域に付す。
【００２８】
ルータ６は、図７に示すように、２つの制御端末１ａ及び１ｂと装置３ａ及び３ｂとがそれぞれ接続されており、それぞれの間で通信を行うための切り替えを行っている。装置３ａ又は３ｂから来たＩＰパケット３０の信号は、ルータ６のスイッチング部７ａ又は７ｂにそれぞれ入力される。スイッチング部７ａ及び７ｂは、ＩＰヘッダ３１のＴＯＳ３５にあるプライオリティのＴＯＳ値を参照して、制御端末１ａ又は１ｂを送信先として選択し切り替える。よって、ルータ６は、重要度の高い１〜３のＴＯＳ値である場合には制御端末１ａへ切り替えてＩＰパケット３０を送信し、重要度の低い４以上のＴＯＳ値である場合には制御端末１ｂに切り替えてＩＰパケット３０を送信する。
【００２９】
次に、本実施形態のネットワーク監視システムにおける、装置３ａ又は３ｂにおいて異常が発生した時の復旧の作業手順について、図９のフローチャートを参照しながら説明する。なお、以下の説明では、装置３ａにおいて異常が発生したものとし、装置３ｂで異常が発生した場合における復旧の作業手順も同様である。
【００３０】
ステップＳ２０１では、装置３ａが、異常の発生を検知すると、その異常が情報出力管理用テーブル１０の警報情報のいずれに対応するかを判断する。装置３ａは、その判断結果に基づいて決まる重要度を示す１〜３のＴＯＳ値を選択し、ＩＰヘッダ３１にあるＴＯＳ３５のプライオリティの領域に書き込む。装置３ａは、ＩＰデータ３２に警報情報を書き込んでＩＰパケット３０をルータ６に送信する。
【００３１】
ステップＳ２０２では、ルータ６が、装置３ａからのＩＰパケット３０を受け取り、ＴＯＳ３５にあるプライオリティのＴＯＳ値を調べる。ルータ６は、ＴＯＳ値が１〜３であるならば、スイッチング部７ａに対して制御端末１ａへ切り替える指示を出し、ＩＰパケット３０を制御端末１ａへ送信する。
【００３２】
ステップＳ２０３では、制御端末１ａが、装置３ａからのＩＰパケット３０を受け取り、ＴＯＳ値とともにＩＰデータ３２の警報情報を抽出する。制御端末１ａは、ＴＯＳ値と警報情報とを画面等に示して、ユーザからのキーボード等による入力によって装置３ａの復旧のために必要なコマンドを受ける。制御端末１ａは、装置３ａのＩＰアドレスをＩＰヘッダ３１の宛先ＩＰアドレスに書き込むとともに、復旧作業のコマンドをＩＰデータ３２の領域に書き込む。制御端末１ａは、ＩＰパケット３０を送信する。そして、ルータ６は、制御端末１ａからのＩＰパケット３０を受け取り、ＩＰヘッダ３１の宛先ＩＰアドレスを調べる。ルータ６は、その宛先ＩＰアドレスに基づいて、ＩＰパケット３０を装置３ａへ送信する。
【００３３】
ステップＳ２０４では、装置３ａが、制御端末１ａからのＩＰパケット３０を受け取り、ＩＰデータ３２にあるコマンドを抽出する。装置３ａは、そのコマンドによる復旧作業を行う。
【００３４】
ステップＳ２０５では、装置３ａが、復旧できたか否かを判定する。復旧できた場合、装置３ａは、ステップＳ２０６（ＹＥＳ側）へ移行する。復旧できなかった場合（ＮＯ側）には、装置３ａは、復旧できなかったことを示す情報をＩＰデータ３２に書き込むとともに、ＩＰヘッダ３１にあるＴＯＳ３５のプライオリティにステップＳ２０１の時と同じＴＯＳ値を付す。装置３ａは、制御端末１ａへＩＰパケット３０を送信する。ステップＳ２０２からステップＳ２０４の作業を、装置３ａが復旧するまで行う。
【００３５】
ステップＳ２０６では、装置３ａが、復旧したことを示す情報をＩＰデータ３２に書き込むとともに、ＩＰヘッダのＴＯＳの領域にステップＳ２０１の時と同じＴＯＳ値を付す。装置３ａは、制御端末１ａへＩＰパケット３０を送信して一連の復旧作業を終了する。
【００３６】
このように、本実施形態は、ルータ６のスイッチング部７ａ及び７ｂが、装置３ａ及び３ｂからのＩＰヘッダ３１に付される情報の重要度を示すＴＯＳ値に応じて、送信先を切り替えることによって、制御端末１ａ及び１ｂにおける処理の負荷を軽減することができる。
【００３７】
また、ルータ６のスイッチング部７ａ又７ｂによる切り替え動作によって、ネットワーク２における不要なトラフィックの増加を防ぐこともできる。
≪実施形態の補足事項≫
一又は他の実施形態において、ネットワーク２に接続される制御端末１ａ及び１ｂ又は装置３ａ及び３ｂをそれぞれ２つとしたが、本発明はこれに限定されず、１又は３以上の複数の制御端末や装置に対しても適応が可能である。この場合、レイヤ２スイッチ４のスイッチング部５ａ及び５ｂ、又はルータ６のスイッチング部７ａ及び７ｂの数や切り替え先は、接続する制御端末や装置の数に応じて決めるのが好ましい。
【００３８】
なお、一又は他の実施形態において、レイヤ２スイッチ４やルータ６を１つのみ用いたが、本発明はこれに限定されず、２以上の複数のレイヤ２スイッチ４やルータ６を用いた場合にも適用可能である。この場合、用いるレイヤ２スイッチ４やルータ６の数は、ネットワーク２に接続される制御端末や装置の数や制御端末の処置能力等に応じて決めるのが好ましい。これにより、制御端末１ａ及び１ｂの処理が分散され、それらの負荷のさらなる軽減を図ることが可能となる。
【００３９】
なお、一又は他の実施形態において、情報出力管理用テーブル１０における重要度（Ｓｅｖｅｒｉｔｙ）が高いものから低いものに対して、ＣＯＳ値やＴＯＳ値を順に１〜７の値を付して用いたが、本発明はこれに限定されない。例えば、７〜１の順でも良いし、状況に応じて適宜選択して決めるのが良い。
【００４０】
なお、一の実施形態において、レイヤ２スイッチ４のスイッチング部５ａ及び５ｂは、制御端末１ａ又は１ｂに切り替えるとしたが、本発明はこれに限定されない。スイッチング部５ａ及び５ｂの切り替え先の数は、制御端末に数に応じて変えることができる。或いは、スイッチング部５ａ及び５ｂは、重要度の低い情報について、通過させないフィルタリングのように動作させても良し、又はどの制御端末にも接続されず普段は使われないメインテナンス用の出力端子等に切り替えるようにしても良い。
【００４１】
なお、他の実施形態において、ルータ６を用いて異常発生の通知や復旧の作業を行ったが、本発明はこれに限定されない。例えば、ルータ６の代わりにレイヤ３スイッチを用いることができる。
【００４２】
なお、他の実施形態において、ルータ６のスイッチング部７ａ及び７ｂは、制御端末１ａ又は１ｂに切り替えるとしたが、本発明はこれに限定されない。スイッチング部７ａ及び７ｂの切り替え先の数は、制御端末に数に応じて変えることができる。或いは、スイッチング部７ａ及び７ｂは、重要度の低い情報について、通過させないフィルタリングのように動作させても良し、又はどの制御端末にも接続されず普段は使われないメインテナンス用の出力端子等に切り替えるようにしても良い。
【００４３】
なお、本発明は、その精神又はその主要な特徴から逸脱することなく他の様々な形で実施することができる。そのため、上述した実施形態はあらゆる点で単なる例示に過ぎず、限定的に解釈してはならない。さらに、特許請求の範囲の均等範囲に属する変形や変更は、全て本発明の範囲内である。
【図面の簡単な説明】
【００４４】
【図１】本発明の一の実施形態に係るネットワーク監視システムの概念図
【図２】装置３ａ及び３ｂそれぞれが保持する情報出力管理用テーブルの図
【図３】本発明の一の実施形態で用いるＭＡＣフレーム２０のフォーマットの説明図
【図４】本発明の一の実施形態で用いるレイヤ２スイッチ４の構成図
【図５】本発明の一の実施形態に係るネットワーク監視システムの復旧作業の手順を示すフローチャート
【図６】本発明の他の実施形態に係るネットワーク監視システムの概念図
【図７】本発明の他の実施形態で用いるルータ６の構成図
【図８】本発明の他の実施形態で用いるＩＰパケット３０のフォーマットの説明図
【図９】本発明の他の実施形態に係るネットワーク監視システムの復旧作業の手順を示すフローチャート
【符号の説明】
【００４５】
１ａ、１ｂ  制御端末、２  ネットワーク、３ａ、３ｂ  装置、４  レイヤ２スイッチ、５ａ、５ｂ、７ａ、７ｂ  スイッチング部、６  ルータ、１０  情報出力管理用テーブル、２０  ＭＡＣフレーム、２５  ＶＬＡＮタグ、３０  ＩＰパケット、３１  ＩＰヘッダ、３２  ＩＰデータ、  ３５  ＴＯＳ
【図１】
2009201025.tif 000003
【図２】
2009201025.tif 000004
【図３】
2009201025.tif 000005
【図４】
2009201025.tif 000006
【図５】
2009201025.tif 000007
【図６】
2009201025.tif 000008
【図７】
2009201025.tif 000009
【図８】
2009201025.tif 000010
【図９】
2009201025.tif 000011